(57)【要約】  【課題】  結束用の紐を別途準備しなくても、開口部を容易かつ確実に封止する。  【解決手段】  袋１ａ，１ｂの開口部には、互いに対向する４つの結び帯２ａ〜２ｄ，３ａ〜３ｄが設けられているので、かかる結び帯２ａ〜２ｄ，３ａ〜３ｄ同士を結束することができる。よって、従来のゴミ袋のように、結束用の紐を別途準備したり、開口部の四隅を束ねて結束するなどの煩雑な作業を必要とすることなく、開口部を容易かつ確実に封止することができる。  【選択図】        図１
2005082221.tif 000002
【特許請求の範囲】
【請求項１】
筒状に形成されたシート材の両端部を接合して底部を形成すると共に、そのシート材を幅方向へ切断して開口部を形成することにより製造される袋状体であって、
前記シート材を幅方向へ凹凸形状に切断することにより、前記開口部に互いに対向する４つの結び帯が形成されていることを特徴とする袋状体。
【請求項２】
前記シート材の切断は、ノズルから噴射された高圧の液体により行われることを特徴とする請求項１記載の袋状体。
【請求項３】
前記シート材の切断形状は、そのシート材の略中心を通り幅方向へ延びる仮想線上において、前記シート材の幅方向両端の凸部又は凹部の幅が、他の凸部又は凹部の幅の略１／２とされ、かつ、前記他の凸部又は凹部の幅がそれぞれ略同一に構成されていることを特徴とする請求項１又は２に記載の袋状体。
【請求項４】
前記シート材の切断形状は、そのシート材の略中心を通り幅方向へ延びる仮想線を基準として、凸部高さが凹部深さと略同一となるように構成されていることを特徴とする請求項１から３のいずれかに記載の袋状体。
【発明の詳細な説明】
【技術分野】
【０００１】
本発明は袋状体に関し、特に、結束用の紐を別途準備しなくても、開口部を容易かつ確実に封止することができる袋状体に関するものである。
【背景技術】
【０００２】
従来、ゴミ袋の開口部を閉じる際には、開口部の四隅を紐状に束ね、この紐状に束ねた部位を結束することが一般的であった。しかし、このような方法では、手間がかかるばかりか、結束部がほどけやすく、開口部を確実に封止することができない。
【０００３】
そこで、予め紐が開口部周辺に装着されたゴミ袋（特許文献１）を使用したり、或いは、結束用の紐を別途準備し、かかる紐でゴミ袋の開口部を巻回し結束することにより、開口部を封止する方法が考えられている。
【特許文献１】特開２００１−２０６５０１号公報
【発明の開示】
【発明が解決しようとする課題】
【０００４】
しかしながら、紐を開口部に予め装着したゴミ袋では、その紐の分だけ部品点数や製造行程数が増加するため、ゴミ袋全体としての製品コストが嵩むという問題点があった。また、別途準備した紐により開口部を封止する方法では、かかる紐を保管、準備する作業が繁雑であるばかりか、紐が開口部から脱落しやすく、開口部を確実に封止することができないという問題点があった。
【０００５】
本発明は上述した問題点を解決するためになされたものであり、結束用の紐を別途準備しなくても、開口部を容易かつ確実に封止することができる袋状体を提供することを目的としている。
【課題を解決するための手段】
【０００６】
この目的を達成するために、請求項１記載の袋状体は、筒状に形成されたシート材の両端部を接合して底部を形成すると共に、そのシート材を幅方向へ切断して開口部を形成することにより製造されるものであって、前記シート材を幅方向へ凹凸形状に切断することにより、前記開口部に互いに対向する４つの結び帯が形成されている。
【０００７】
請求項２記載の袋状体は、請求項１記載の袋状体において、前記シート材の切断は、ノズルから噴射された高圧の液体により行われる。
【０００８】
請求項３記載の袋状体は、請求項１又は２に記載の袋状体において、前記シート材の切断形状は、そのシート材の略中心を通り幅方向へ延びる仮想線上において、前記シート材の幅方向両端の凸部又は凹部の幅が、他の凸部又は凹部の幅の略１／２とされ、かつ、前記他の凸部又は凹部の幅がそれぞれ略同一に構成されている。
【０００９】
請求項４記載の袋状体は、請求項１から３のいずれかに記載の袋状体において、前記シート材の切断形状は、そのシート材の略中心を通り幅方向へ延びる仮想線を基準として、凸部高さが凹部深さと略同一となるように構成されている。
【発明の効果】
【００１０】
請求項１記載の袋状体によれば、開口部に互いに対向する４つの結び帯が形成されるので、かかる結び帯同士を結束することにより、結束用の紐を別途準備しなくても、開口部を容易かつ確実に封止することができるという効果がある。また、本発明の袋状体は、シート材を両端を接合すると共に、そのシート材の略中央部を切断することにより、製造されるものであるので、１のシート材から２つの袋状体を一度に得ることができ、その結果、袋状体を効率的に製造することができるという効果がある。
【００１１】
請求項２記載の袋状体によれば、請求項１記載の袋状体の奏する効果に加え、シート材の切断は、ノズルから噴射される高圧の液体により行われるので、粘性のある材料、例えば、ポリオレフィン等の樹脂材料からシート材が構成される場合であっても、かかるシート材を高精度かつ高速に切断することができるという効果がある。また、切断中のシート材の加熱を抑制することができるので、熱によりシート材の物性が劣化することを抑制することができるという効果がある。
【００１２】
請求項３記載の袋状体によれば、請求項１又は２に記載の袋状体の奏する効果に加え、シート材の切断形状は、そのシート材の略中心を通り幅方向へ延びる仮想線上において、シート材の幅方向両端の凸部又は凹部の幅が、他の凸部又は凹部の幅の略１／２とされ、かつ、他の凸部又は凹部の幅がそれぞれ略同一に構成されている。即ち、各結び帯を開口部の周縁に沿って略等間隔で配設することができるので、開口部の全体を均等に封止することができるという効果がある。
【００１３】
請求項４記載の袋状体によれば、請求項１から３のいずれかに記載の袋状体の奏する効果に加え、シート材の切断形状は、そのシート材の略中心を通り幅方向へ延びる仮想線を基準として、凸部高さが凹部深さと略同一となるように構成さているので、１つのシート材から得られた２つの袋状体の収納部深さ、即ち、収納可能量をそれぞれ略同一とすることができるという効果がある。
【発明を実施するための最良の形態】
【００１４】
以下、本発明の好ましい実施例について、添付図面を参照して説明する。図１（ａ）及び（ｂ）は、本発明の一実施例における袋１ａ，１ｂの斜視図である。
【００１５】
袋１ａ，１ｂは、例えば、ポリオレフィン等の樹脂材料から上端が開放した袋状に構成されており、主に、ゴミ袋として使用するためのものである。これら袋１ａ，１ｂは、後述するように、１つのシート材１（図２参照）から２つが同時に製造されるものであり、その開口部には、図１に示すように、４つの結び帯２ａ〜２ｄ，３ａ〜３ｄが形成されている。
【００１６】
よって、従来のゴミ袋のように、開口部の四隅を紐状に束ねて結束したり、別途準備した結束用の紐で開口部を巻回して、開口部を封止する必要がなく、ゴミ等を収納した後は、これら各結び帯２ａ〜２ｄ，３ａ〜３ｄ同士を結束することにより、開口部を容易かつ確実に封止することができる。
【００１７】
例えば、袋１ａであれば、結び帯２ａ，２ｃ同士で結束すると共に、結び帯２ｂ，２ｄ同士で結束することにより、４つの結び帯２ａ〜２ｄを風呂敷を結ぶ感覚で結束することができ、その結果、開口部を容易かつ確実に封止することができる。なお、袋１ｂでも、各結び帯３ａ〜３ｄを、結び帯３ａ，３ｃで結束すると共に、結び帯３ｂ，３ｄで結束することにより、同様の効果が得られる。
【００１８】
また、袋１ａ，１ｂは、図１に示すように、各結び帯２ａ〜２ｄ，３ａ〜３ｄが先細のテーパ状に形成されている。よって、その結束作業を容易に行うことができる。更に、各結び帯２ａ〜２ｄ，３ａ〜３ｄは、その根元部分が広く、かつ、隣接する結び帯２ａ〜２ｄ，３ａ〜３ｄとの間隔がその根元部分において狭くなるように構成されているため、これら各結び帯２ａ〜２ｄ，３ａ〜３ｄを結束した場合には、袋１ａ，１ｂの開口部を隙間なく封止することができ、その結果、収納物が外部へ脱落することを防止することができる。
【００１９】
次いで、図２を参照して、袋１ａ，１ｂの製造方法について説明する。図２は、シート材１の正面図である。
【００２０】
なお、図中の２点鎖線は、シート材１の略中心位置を通過し高さ方向（図２上下方向）又は幅方向（図２左右方向）に延びる仮想線Ｈ，Ｌそれぞれを示しており、この仮想線Ｌが請求項３又は４記載の仮想線に該当する。また、シート材１の略中央部を幅方向へ凹凸形状に延びる実線は、シート材１の切断位置である切断線Ｃを示している。
【００２１】
袋１ａ，１ｂを製造するに際しては、まず、筒状のシート材１の両端部（図２上部及び下部）をそれぞれ接合し、底部４，５を形成する。底部４，５は、袋１ａ，１ｂの底となる部位である（図１参照）。なお、両端部の接合は、本実施例では、熱融着により行うが、必ずしもこれに限られるわけではなく、例えば、両端部の内面に塗布した接着材により接合しても良い。
【００２２】
両端部を接合した後は、次いで、シート材１の略中央部を切断線Ｃに沿って幅方向（図２左右方向）へ切断する。これにより、シート材１は、袋１ａ，１ｂに分離され、４つの結び帯２ａ〜２ｄ，３ａ〜３ｄを備えた袋１ａ，１ｂを製造することができる（図１参照）。このように、１つのシート材１から２つの袋１ａ，１ｂを得ることができるので、袋１ａ，１ｂの製造を効率的に行うことができ、材料を無駄にすることもない。
【００２３】
また、本発明の袋１ａ，１ｂは、結び帯２ａ〜２ｄ，３ａ〜３ｄを形成するための材料を別途必要とすることなく、従来と同様の大きさのシート材１から製造することができるので、従来のゴミ袋と同様の材料費で製造することができる。
【００２４】
即ち、従来のゴミ袋は、仮想線Ｌに沿って直線状にシート材１を切断して製造される（即ち、仮想線Ｌが従来のゴミ袋の高さとなる）が、これに対し、本発明の袋１ａ，１ｂは、切断線Ｃに沿ってシート材１を凹凸形状に切断する。よって、従来のゴミ袋と同じ大きさのシート材１から本発明の袋１ａ，１ｂを製造することができ、かかるシート材１の大きさを、結び帯２ａ〜２ｄ，３ａ〜３ｄを形成する分だけ大きくするということを何ら必要としないのである。
【００２５】
ここで、切断線Ｃは、各結び帯２ａ〜２ｄ，３ａ〜３ｄの大きさが他の結び帯２ａ〜２ｄ，３ａ〜３ｄと略同一の大きさとなるように構成されている。即ち、切断線Ｃは、仮想線Ｈに対して対称に配置されているので、仮想線Ｌ上における各結び帯２ａ〜２ｄ，３ａ〜３ｄの幅は、図２に示すように、それぞれ２Ｗとされている。
【００２６】
よって、各結び帯２ａ〜２ｄ，３ａ〜３ｄを袋１ａ，１ｂの開口部の周縁に沿って略等間隔で配設することができるので（図１参照）、これら各結び帯２ａ〜２ｄ，３ａ〜３ｄを結束することにより、開口部の全体を均等に封止することができる。その結果、各結び帯２ａ〜２ｄ，３ａ〜３ｄを強固に結束することにより、袋状体の収納物を密閉状態に保つこともでき、例えば、異臭の発生等を抑制することができる。
【００２７】
なお、本実施例では、シート材１の略中心を通る仮想線Ｌを基準として切断線Ｃを配置したので、１つのシート材１から製造される２つの袋１ａ，１ｂを略同一の収納部深さ（収納可能量）に構成することができる（図１参照）。但し、切断線Ｃの配置を上端側（図２上側）或いは下端側（図２下側）へ変更し、袋１ａ，１ｂの内の一方の収納部深さを深く（収納可能量を多く）すると共に、他方の収納部深さを浅く（収納可能量を少なく）構成することは当然可能である。
【００２８】
また、各結び帯２ａ〜２ｄ，３ａ〜３ｄは、図２に示すように、所定の傾斜角を有する先細のテーパ状に形成されているので、これら各結び帯２ａ〜２ｄ，３ａ〜３ｄの結束作業を容易に行うことができる。更に、各結び帯２ａ〜２ｄ，３ａ〜３ｄの根元部分を広く、かつ、各結び帯２ａ〜２ｄ，３ａ〜３ｄ同士の隣接間隔をその根元部分において狭くすることができるので、これら各結び帯２ａ〜２ｄ，３ａ〜３ｄを結束した場合には、袋１ａ，１ｂの開口部を隙間なく封止することができ、その結果、収納物が外部へ脱落することを防止することができる。
【００２９】
なお、本実施例では、各結び帯２ａ〜２ｄ，３ａ〜３ｄの先端幅が、図２に示すように、それぞれＷとされているが、この先端幅は、必ずしもこの値に限られるわけではなく、例えば、０から２Ｗの範囲で任意に設定することができる。但し、この先端幅は、Ｗ／２以上、かつ、１．５Ｗ以下の範囲とすることが好ましく、より好ましくは、本実施例と同様に、Ｗとすることが良い。
【００３０】
ここで、本実施例では、各結び帯２ａ〜２ｄ，３ａ〜３ｄの先端幅を、その先端の直線部分の幅（先端両側に設けられたコーナＲ部の内側間隔）として説明したが、コーナＲ部を含めた幅を各結び帯２ａ〜２ｄ，３ａ〜３ｄの先端幅として、上記先端幅の範囲（０〜２Ｗ等）を適用することは当然可能である。なお、コーナＲ部の半径寸法は任意であり、かかるコーナＲ部を設けないことも当然可能である。
【００３１】
ここで、シート材１の切断は、本実施例では、いわゆるウオータージェット（ノズルから噴射される高圧の水）により行われる。そのため、シート材１が粘性のあるポリオレフィン等の樹脂材料から構成される場合でも、かかるシート材１を高精度かつ高速に切断することができる。また、ウオータージェットを使用して切断することにより、切断中のシート材１の加熱を抑制することができるので、熱によりシート材１の物性が劣化することを抑制することができる。
【００３２】
なお、ノズルから噴射する液体は水に限られるわけではなく、他の液体を使用することは当然可能である。例えば、オイル等を使用しても良い。また、シート材１の切断をカッター等の刃物やレーザー切断機を使用して行うことは当然可能である。
【００３３】
図１に戻って、袋１ａ，１ｂの開口部を封止する方法について説明する。開口部の封止方法については、種々の方法が考えられ、特に一つの方法に限定されるものではない。
【００３４】
例えば、袋１ａにより例示すると、結び帯２ａ〜２ｄを交差させて結束しても良いし（即ち、結び帯２ａと結び帯２ｃとを結束すると共に、結び帯２ｂと結び帯２ｄとを結束する）、或いは、結び帯２ａ〜２ｄを平行に結束しても良い（即ち、結び帯２ａと結び帯２ｄとを結束すると共に、結び帯２ｂと結び帯２ｃとを結束する）。
【００３５】
また、結束位置は、結び帯２ａ〜２ｄの根元部分としても良いし、先端部分としても良い。結束位置を結び帯２ａ〜２ｄの先端部分とすることにより、かかる結び帯２ａ〜２ｄを袋１ａの持ち手として利用することもできる。また、結束回数は、１回であっても良いし、２回以上であっても良い。更に、結束方法は、コマ結びであっても良いし、蝶々結びであっても良く、他の方法であっても良い。なお、袋１ｂについても同様であり、その説明は省略する。
【００３６】
以上のように、本実施例の袋１ａ，１ｂによれば、開口部に互いに対向する４つの結び帯２ａ〜２ｄ，３ａ〜３ｄを設けたので、これら各結び帯２ａ〜２ｄ，３ａ〜３ｄを結び帯２ａ，２ｃ、結び帯３ａ，３ｃでそれぞれ結束すると共に、結び帯２ｂ，２ｄ、結び帯３ｂ，３ｄでそれぞれ結束することにより、４つの結び帯２ａ〜２ｄ，３ａ〜３ｄを風呂敷を結ぶ感覚で結束することができる。よって、従来のゴミ袋のように、結束用の紐を別途準備したり、開口部の四隅を束ねて結束するなどの煩雑な作業を必要とすることなく、開口部を容易かつ確実に封止することができるのである。
【００３７】
以上、実施例に基づき本発明を説明したが、本発明は、上記実施例に何ら限定されるものではなく、本発明の趣旨を逸脱しない範囲で種々の変形が可能であることは、容易に推察されるものである。
【００３８】
例えば、本実施例では、シート材１（袋１ａ，１ｂ）がポリオレフィン等の樹脂材料から構成される場合を説明したが、必ずしもこの材料に限られるわけではなく、他の材料から構成することは当然可能である。例えば、布や紙、アルミシートなどが例示される。
【００３９】
また、本実施例では、袋１ａ，１ｂをゴミ袋として使用する場合を説明したが、必ずしもこれに限られるわけではなく、他の用途に使用することは当然可能である。例えば、食品用の収納袋としての使用や贈り物を包装する包装用袋（ラッピング袋）としての使用などが例示される。
【００４０】
更に、本実施例では、シート材１（袋１ａ，１ｂ）の大きさについては特に説明しなかったが、シート材１（袋１ａ，１ｂ）は、例えば、高さ１０ｃｍ×幅５ｃｍ程度の大きさから、高さ２ｍ×幅１ｍ程度の大きさまで、その用途に応じてを種々の大きさに構成することができる。
【図面の簡単な説明】
【００４１】
【図１】（ａ）及び（ｂ）は、本発明の一実施例における袋の斜視図である。
【図２】シート材の正面図である。
【符号の説明】
【００４２】
１                シート材
１ａ，１ｂ        袋（袋状体）
２ａ〜２ｄ        結び帯
３ａ〜３ｄ        結び帯
４，５            底部
Ｃ                切断線
Ｈ，Ｌ            仮想線
Ｗ                結び帯の幅（凸部又は凹部の幅）
【図１】
2005082221.tif 000003
【図２】
2005082221.tif 000004